(57)【要約】
【課題】　炊飯器本体の蓋に内蔵される蒸気排出手段の蒸気孔を蓋の外面から開閉自在できる電気炊飯器と電気炊飯器における蒸気孔の開閉具を提供すること。
【解決手段】　蒸気排出手段３の蒸気孔４の外端を、蓋２の上面に取着される開閉蓋ｂで開閉自在に密閉する。
　また、開閉具Ａは内部空間１９に蒸気孔４を包蔵する蓋体１６と支持体１８と両者を連結するリンク１７とから成り、開閉具Ｂは内部空間１９に蒸気孔４を包蔵する蓋体２７と、該内部空間１９を外部に連通する連通口２８と、該連通口２８を開閉自在に密閉する開閉蓋２９とから成る。
　このほか、開閉具Ａ、Ｂ共に、それぞれの蓋体１６、２７の下端に接合座２４を構成したものも提供される。
【選択図】　図１
0003100044.tif 000002
【実用新案登録請求の範囲】
【請求項１】
　炊飯器本体の蓋に内蔵される蒸気排出手段である蒸気孔を、該蓋の上面に取着される開閉蓋で開閉自在にして成る電気炊飯器。
【請求項２】
　所要平面積の内部空間を形成する蓋体と、該蓋体の内部空間を外部に連通する連通口と、該連通口を開閉自在に密閉する開閉蓋とから成り、炊飯器本体の蒸気孔を包蔵して炊飯器本体の蓋に配設されることを特徴とする電気炊飯器における蒸気孔の開閉具。
【請求項３】
　所要平面積の内部空間を形成する蓋体と、該蓋体の上部で一端が折曲自在に係合されるリンクと、該リンクの他端で折曲自在に係合される支持体とから成り、炊飯器本体の蓋に接合される支持体を介して、蓋体で該炊飯器本体の蒸気孔を開閉自在に密閉することを特徴とする電気炊飯器における蒸気孔の開閉具。
【請求項４】
　蓋体の下端周縁がリング状の接合座に嵌着されて成る請求項２又は３記載の電気炊飯器における蒸気孔の開閉具。
【考案の詳細な説明】
【技術分野】
【０００１】
　本考案は、電気炊飯器と電気炊飯器における蒸気孔の開閉具に関する。
【背景技術】
【０００２】
　登録実用新案公報（実用登録第３０２１７６０号）には、電気炊飯器の保温時に、ボールバルブ９ｃによって蓋３に設けた下側排出孔９ｂを閉じて外部空気の流入を遮断することが開示されているが、炊き上がり時の減圧状態での蓋３を開け易くするために、前記遮断はボールバルブ９ｃで下側排出孔９ｂが完全に密閉されないように構成されている。すなわち、蒸気排出手段９が蓋３の内部に収納される点で不都合さが内在するものであり、内蓋に開口された蒸気孔が蓋の蒸気孔に連通する一般的な電気炊飯器においては、保温時に起きるご飯の変質が問題となる。
　さらに、炊き上げ時のおねばがボールタップに付着するので、これの清掃に手数を要する問題がある。
【特許文献１】登録実用新案公報（実用登録第３０２１７６０号、段落番号０００４〜０００７）
【考案の開示】
【考案が解決しようとする課題】
【０００３】
　本考案は、炊飯器本体の蓋に内蔵される蒸気排出手段の蒸気孔を、蓋の外面から開閉自在できる電気炊飯器と電気炊飯器における蒸気孔の開閉具を提供するものである。
【課題を解決するための手段】
【０００４】
　請求項１に記載された電気炊飯器は、炊飯器本体の蓋に内蔵される蒸気排出手段である蒸気孔を、蓋の上面に取着される開閉蓋で開閉自在に密閉して成る。
　請求項２に記載された電気炊飯器における蒸気孔の開閉具は、所要平面積の内部空間を形成する蓋体と、該蓋体の内部空間を外部に連通する連通口と、該連通口を開閉自在に密閉する開閉蓋とから成る。
　請求項３に記載された電気炊飯器における蒸気孔の開閉具は、所要平面積の内部空間を形成する蓋体と、該蓋体の上部で一端が折曲自在に係合されるリンクと、該リンクの他端で折曲自在に係合される支持体とから成る。
　請求項４に記載された電気炊飯器における開閉具は、請求項２又は請求項３に記載された電気炊飯器における開閉具において、蓋体の下端周縁がリング状の接合座に嵌着されて成る。
【考案の効果】
【０００５】
　本考案によれば、炊飯器本体の蓋の蒸気孔を蓋の外側から開閉するものであるから、保温時には蒸気の流出及び空気中の雑菌の進入を防止し保温時のご飯の変質を抑えることができる。
【考案を実施するための最良の形態】
【０００６】
　炊飯器本体１の蓋２の上面に取着される開閉蓋ｂは、合成樹脂製であることを考慮すれば、軸受部６と係止片７が蓋２の上面に凹設する嵌着溝８に嵌着接合（接着剤を併用するなど）され、開閉蓋ｂの蓋本体５と軸受部６との関係も、ビスなどで回動自在に係合することもできるが、合成樹脂成形による量産を考えれば蓋本体５のピン軸９が軸受部６の軸孔１０に連通する絞り溝１１から弾性変形によって挿入され軸孔１０に軸支される。蓋本体５の前方下面に上向きに形成する鉤状凹部１２の内向きの突起１２が係止片７の前側のくぼみ１４に弾性変形により係止され、蓋本体５の下面に周設されたパッキン１５が蒸気排出手段３の各蒸気孔４を包蔵して蓋２の上面に密着する。
【０００７】
　また、上端に開閉蓋２９を設けた外付けの開閉具Ｂでは、開閉蓋２９の下面に設けたシール材３５が蒸気孔４を外部に連通する連通口２８閉塞し、開閉蓋２９の前部両側面が蓋体２７に掘設した溝部３２に若干の弾性変形を伴って押圧嵌入させて連通口２８の密閉状態を保持し、蓋体２７の下端周縁が両面接着シート２６を介して炊飯器本体１の蓋２の上面に直接接着されるほか、両面接着シート２６などにより蓋２の上面に接着されるリング状の接合座２４を介して蓋体２７の下端を密着接合するものなどであり、この場合の接合座２４は蓋２の上面形状になじむように下面に弾性体２５を一体に接合したものなどで提供される。
　さらに、蒸気孔４の一群に被蓋される蓋体１６と支持体１８とをリンク１７で係合する外付けの開閉具Ａでは、蓋体１６の上部に立設する芯棒２１と支持体１８の支軸２３にそれぞれ横設するピン軸９は、リンク１７の前後に設ける各軸受部６の軸孔１０に連通する絞り溝１１から弾性変形によって挿入されて該軸孔１０に軸支される。
【実施例】
【０００８】
　本考案の実施例を説明すると、開閉蓋を有する電気炊飯器ａは図１（ａ）に示すように、炊飯器本体１の蓋２に内設された蒸気排出手段３である４個の蒸気孔４を開閉する爪状の蓋本体５が蓋２に次の手段で開閉係止自在に取付けられている。すなわち、蓋本体５の軸受部６と、蓋本体５の前部底面に突設した係止片７とを設けて、蓋本体を軸受部６で開閉自在とし、蓋２に凹設した嵌合溝８に係止片７を係脱自在としている。蓋本体５と一体のピン軸９は軸受部６の軸孔１０に連通する絞り溝１１から溝幅を弾性変形によって拡幅しつつ軸孔１０に挿入され軸支される。また、蓋本体５は前方下面を上り勾配先細り状に形成しその勾配の起点近傍で上向きに形成する鉤状凹部１２の内向きの突起１３が係止片７の前側のくぼみ１４に弾性変形によって内側へのけ反らせて係止される。蓋本体５の下面は該下面に周設されたリング状のパッキン１５で図１（ｂ）に示すように、蒸気排出手段３の各蒸気孔４を包蔵して蓋２の上面に密着される。
【０００９】
　本考案電気炊飯器ａの使用は、炊飯時には開閉蓋ｂの蓋本体５を開け各蒸気孔４を外部に開口して従来通りご飯を炊き上げる。保温時には図１（ａ）に示す状態とすると各蒸気孔４は蓋本体５によって外気と遮断されるから、保温時の蒸気が外部に流出されず、空気中の雑菌の進入も防止されるので、ご飯が固くなったり黄ばむなどの変質が抑えられる。
【００１０】
　本考案電気炊飯器における蒸気孔の開閉具（以下、単に開閉具とする。）Ａについて説明すると、図２、図３に示すように蒸気排出手段３の全蒸気孔４に被蓋される蓋体１６と、蓋体１６の姿勢を所定に保持するリンク１７と、リンク１７を支持する支持体１８とから成り、蓋体１６は内面に各蒸気孔４を包蔵する内部空間１９が形成され、内部空間１９の底周縁には弾性変形自在なシール材２０が接合され、蓋体１６の上部に立設した芯棒２１にピン軸９がその両端を突出して横設される。支持体１８は下方の吸盤２２に立設した支軸２３に前記と同様にピン軸９がその両端を所要に突出して横設される。そして、両ピン軸９はリンク１７の前後に設ける各軸受部６の軸孔１０に連通する絞り溝１１からその溝幅を弾性変形によって拡幅しつつ該軸孔１０に挿入され軸支される。
【００１１】
　このようにして成る開閉具Ａは図５に示すように、蒸気排出手段３の各蒸気孔４が炊飯器本体１の蓋２の上面に開口されている電気炊飯器ｃに次のように使用される。
　すなわち、各蒸気孔４を蓋体１６の内部空間１９に包蔵できる状態で蓋２の上面に蓋体１６を位置決めし、その姿勢で支持体１８の吸盤２２を蓋２の上面に吸着させる。
　このように電気炊飯器ｃの蓋２に外付けされた開閉具Ａは、炊飯時には図２の仮想線で示すように蓋体１６が支持体１８のピン軸９を中心に反転され、蒸気孔４が開口され、保温時には図５に示す状態で各蒸気孔４が蓋体１６で密閉され、前記と同様の働きでご飯の変質が抑えられる。
　この開閉具Ａはリンク１７の前後の軸受部６と蓋体１６の芯棒２１及び支持体１８の支軸２３との係合が折曲自在ではあるが、蓋体１６の蓋２の上面への密着性を考慮してきつい係合となる。蓋体１６の密閉性をより確実とするには図４に示すように、蓋体１６の下面のシール材２０に着脱自在に嵌着するリング状の接合座２４を設け、接合座２４の下面には電気炊飯器ｃの蓋２の上面形状になじむ弾性体２５を一体に接合し、弾性体２５を介して両面接着シート２６の外面を蓋２の上面に接着し、接合座２４の上面と蓋体１６の下面のシール材２０において密閉性を図ることができる。
【００１２】
　本考案の他の開閉具Ｂを図６乃至図８に示すと、蒸気排出手段３の全蒸気孔４を包蔵できる面積の内部空間１９を内底に形成する蓋体２７と、蓋体２７の上部に凹設した凹部３１に嵌入して内部空間１９を外部に連通する連通口２８を密閉する開閉蓋２９と、蓋体２７の底面の小径部３０に着脱自在に内嵌するリング状の接合座２４とから成る。
　蓋体２７は円形の凹部３１の周壁で外方へ向けた部分壁に溝部３２（図７）が上部をやや狭い幅として掘られ、連通口２８によって凹部３１と内部空間１９とは連通している。
開閉蓋２９は下部の圧接部３３が凹部３１に嵌入自由とされ、圧接部３３の上部に連接する指掛け部３４が溝部３２に押し込み自在とされ、圧接部３３の底面に接着したシール材３５で連通口２８を密閉自在とし、指掛け部３４の反対側に形成した二股部３６に差し渡されたピン軸９が、蓋体２７の上面に立設する軸受部６の軸孔１０に連通する絞り溝１１からその溝幅を弾性変形によって拡幅しつつ軸孔１０に挿入され軸支される。接合座２４の下面には蓋２の上面に馴染むリング状の弾性体２５が接着されてそれに接着した両面接着シート２６により蓋２の上面に接着される。蓋体２７の小径部３０の下端に接着されたシール材３５は接合座２４の凹部３７の底面に密着する。
　このほか、開閉具Ｂは図８に示すように蓋体２７の下面に接合座２４を嵌着することなく、蓋２の上面に馴染むリング状の弾性体２５が接着されそれに両面接着シート２６が接着されて提供される。
　開閉具Ｂにおいても前記と同様に蒸気排出手段３の全蒸気孔４を、内部空間１９に包蔵する状態で接合座２４を介し、或いは直接蓋体２７が蓋２の上面に接合される。炊飯時には指掛け部３４に指を掛けて開閉蓋２９を開けて蒸気孔４を外気に連通させ、保温時には開閉蓋２９を指掛け部３４により圧接部３３を蓋体２７の凹部３１に押し込んで連通口２８を閉じ、前記と同様にご飯の変質が抑えられる。
　このほか、蒸気孔４の開閉手段としては、上下方向の開閉に代えて蓋体２７を前後にスライドさせることや、鉛直軸心に対して回動させることで蒸気孔４を外気に対して連通遮断自在にできる。
【産業上の利用可能性】
【００１３】
　本考案は、炊飯器本体の蓋の構造に簡易な改良を加えることにより、保温時のご飯の変質を抑えたものであるから、既製の電気炊飯器においては開閉具の取着によってその目的を達成させる。
【図面の簡単な説明】
【００１４】
【図１】本考案に係る電気炊飯器ａの説明図であり、（ａ）は炊飯器本体１の蓋２に組み込まれた開閉蓋ｂの縦断面説明図で、（ｂ）は同上状態の開閉蓋ｂの平面図である。
【図２】本考案に係る開閉具Ａの正面図である。
【図３】開閉具Ａの平面図である。
【図４】開閉具Ａの他の実施態様における一部を縦断した正面図である。
【図５】開閉具Ａを取着した電気炊飯器ｃの説明図である。
【図６】本考案に係る開閉具Ｂの縦断面図である。
【図７】同上開閉具Ｂの平面図である。
【図８】同上開閉具Ｂの他の実施態様における縦断面図である。
【符号の説明】
【００１５】
　１　炊飯器本体
　２　蓋
　３　蒸気排出手段
　４　蒸気孔
　５　蓋本体
　６　軸受部
　７　係止片
　８　嵌着溝
　９　ピン軸
　１０　軸孔
　１１　絞り溝
　１２　鉤状凹部
　１３　突起
　１４　くぼみ
　１５　パッキン
　１６　蓋体
　１７　リンク
　１８　支持体
　１９　内部空間
　２０　シール材
　２１　芯棒
　２２　吸盤
　２３　支軸
　２４　接合座
　２５　弾性体
　２６　両面接着シート
　２７　蓋体
　２８　連通口
　２９　開閉蓋
　３０　小径部
　３１　凹部
　３２　溝部
　３３　圧接部
　３４　指掛け部
　３５　シール材
　３６　二股部
　３７　凹部
　ａ、ｃ　電気炊飯器
　ｂ　開閉蓋
　Ａ、Ｂ　開閉具
【図１】
0003100044.tif 000003
【図２】
0003100044.tif 000004
【図３】
0003100044.tif 000005
【図４】
0003100044.tif 000006
【図５】
0003100044.tif 000007
【図６】
0003100044.tif 000008
【図７】
0003100044.tif 000009
【図８】
0003100044.tif 000010